(57)【要約】【課題】  防水性が向上されたプシュスイッチのキートップを実現する。【解決手段】  キーカバーとキートップとキーシートとが順次重ねあわされてケースのベゼルに取付けられるプシュスイッチのキートップにおいて、  キートップの周縁に一端側が一体的に接続され前記キーカバーにより前記ベゼルに他端側が押圧シールされるリング状のパッキング部と、前記キーシートに一面が接して取付けられ前記キーシートをバックアップする板状のバックパネルとを具備したことを特徴とするプシュスイッチのキートップである。【選択図】                    図１
2005327582.tif 000002
【特許請求の範囲】
【請求項１】
キーカバーとキートップとキーシートとが順次重ねあわされてケースのベゼルに取付けられるプシュスイッチのキートップにおいて、
キートップの周縁に一端側が一体的に接続され前記キーカバーにより前記ベゼルに他端側が押圧シールされるリング状のパッキング部と、
前記キーシートに一面が接して取付けられ前記キーシートをバックアップする板状のバックパネルと
を具備したことを特徴とするプシュスイッチのキートップ。
【請求項２】
前記パッキング部の他端側に一体的に接続され前記パッキングと断面Ｔ型形状をなす円盤状の足部
を具備したことを特徴とする請求項１記載のプシュスイッチのキートップ。
【請求項３】
前記パッキング部と前記足部とは弾性材よりなること
を特徴とする請求項１又は請求項２記載のプシュスイッチのキートップ。
【請求項４】
前記キートップと前記パッキング部は、ゴム成型により形成されたこと
を特徴とする請求項１乃至請求項３の何れかに記載のプシュスイッチのキートップ。
【請求項５】
前記足部は、前記キートップと前記パッキング部と共にゴム成型により形成されたこと
を特徴とする請求項１乃至請求項３の何れかに記載のプシュスイッチのキートップ。
【発明の詳細な説明】
【技術分野】
【０００１】
本発明は、防水性が向上されたプシュスイッチのキートップに関するものである。
【背景技術】
【０００２】
プシュスイッチのキートップに関連する先行技術文献としては次のようなものがある。
【０００３】
【特許文献１】特開２００１−１５５５８６号公報
【０００４】
図３は、従来より一般に使用されている従来例の構成説明図で記録計Ａに組み込まれたプシュスイッチのキートップＢの例で、図４は図３の要部構成説明図で、図５は図４の組立図、図６、図７、図８は図４の動作説明図である。
【０００５】
図において、図５に示す如く、キーカバー１とキートップ２とキーシート３とキーケース４とは、順次重ねあわされて組み立てられ、図４に示す如く、キーケース４にパッキング５が取付けられて、図４に示す如く、ケースのベゼルＣに取付けられる。
【発明の開示】
【発明が解決しようとする課題】
【０００６】
しかしながら、このような装置においては、パッキン５とベゼルＣの壁が、斜めに接触して密着されているため、パッキン５の変形の管理が難しい。
図６、図７、図８、に示す如く、例えば、記録計のケースが水平垂直いずれの方向に寸法がずれても、パッキン５の圧縮量が変化してしまう上に、断面円形で、細長いパッキン５が斜めに接触しているので、一定の圧縮量で接触する位置を計算するのが難しい。
またベゼルＣの形状も、テーパの付いた面の形状管理は非常に難しい。
【０００７】
本発明の目的は、上記の課題を解決するもので、パッキンの密着性（変形量）の管理しやすい構造にして、防水性が向上されたプシュスイッチのキートップを提供することを目的とする。
【課題を解決するための手段】
【０００８】
このような課題を達成するために、本発明では、請求項１のプシュスイッチのキートップにおいては、
キーカバーとキートップとキーシートとが順次重ねあわされてケースのベゼルに取付けられるプシュスイッチのキートップにおいて、
キートップの周縁に一端側が一体的に接続され前記キーカバーにより前記ベゼルに他端側が押圧シールされるリング状のパッキング部と、前記キーシートに一面が接して取付けられ前記キーシートをバックアップする板状のバックパネルとを具備したことを特徴とする。
【０００９】
本発明の請求項２においては、請求項１記載のプシュスイッチのキートップにおいて、
前記パッキング部の他端側に一体的に接続され前記パッキングと断面Ｔ型形状をなす円盤状の足部を具備したことを特徴とする。
【００１０】
本発明の請求項３においては、請求項１又は請求項２記載のプシュスイッチのキートップにおいて、
前記パッキング部と前記足部とは弾性材よりなることを特徴とする。
【００１１】
本発明の請求項４においては、請求項１乃至請求項３の何れかに記載のプシュスイッチのキートップにおいて、
前記キートップと前記パッキング部は、ゴム成型により形成されたことを特徴とする。
【００１２】
本発明の請求項５においては、請求項１乃至請求項４の何れかに記載のプシュスイッチのキートップにおいて、
前記足部は、前記キートップと前記パッキング部と共にゴム成型により形成されたことを特徴とする。
【発明の効果】
【００１３】
以上説明したように、本発明の請求項１によれば、次のような効果がある。
キートップの周縁に一端側が一体的に接続され、キーカバーにより、ベゼルに他端側が押圧シールされるリング状のパッキング部が構成されたので、キートップに支えられつつ他端側がベゼルに接するので、パッキング部のつぶし量の余裕が得られ易く、防水性を向上することが出来、また、つぶし量（密着性）の管理がし易く、防水性の向上が容易なプシュスイッチのキートップが得られる。
【００１４】
キートップとパッキング部が１部品に構成できたので、構造が簡単になり、部品管理も簡単になって、コストダウンが図れるプシュスイッチのキートップが得られる。
パッキングを支えるための複雑な形状をしたキーケースは不要となり、キーシートに一面が接して取付けられ、キーシートをバックアップする板状のバックパネルで良く、安価なプシュスイッチのキートップが得られる。
【００１５】
本発明の請求項２によれば、次のような効果がある。
パッキング部の他端側に一体的に接続され、パッキング部と断面Ｔ型形状をなす円盤状の足部が設けられたので、シール面積が増大されると共に、ベゼル面に沿って密着でき防水性が更に向上されたプシュスイッチのキートップが得られる。
【００１６】
本発明の請求項３によれば、次のような効果がある。
前記パッキング部と前記足部とは弾性材よりなるので、防水性に好適なプシュスイッチのキートップが得られる。
【００１７】
本発明の請求項４、請求項５によれば、次のような効果がある。
キートップとパッキング部と足部とは共にゴム成型により形成されたので、コストが低減できるプシュスイッチのキートップが得られる。
【発明を実施するための最良の形態】
【００１８】
以下本発明を図面を用いて詳細に説明する。
図１は、本発明の一実施例の全体構成説明図、図２は図１の組立説明図である。
図において、図４，図５と同一記号の構成は同一機能を表す。
以下、図４，図５と相違部分のみ説明する。
【００１９】
図２に示す如く、キーカバー１とキートップ２とキーシート３とバックパネル１１とが順次重ねあわされてケースのベゼルＣに取付けられる。
なお、３１はキーシート３に取付けられたフレキシブルシートである。
図１に示す如く、パッキング部１２は、リング状をなし、キートップ２の周縁に一端側が一体的に接続され、キーカバー１により、ベゼルＣに他端側が押圧シールされている。
【００２０】
板状のバックパネル１１は、キーシート３に一面が接して取付けられ、キーシート３をバックアップている。
この場合は、円盤形状の足部１３は、パッキング部１２の他端側に一体的に接続され、パッキングと断面Ｔ型形状をなす。
また、パッキング部１１と足部１３とは弾性材よりなる。
足部１３は、キートップ２とパッキング部１１と共にゴム成型により形成されている。
【００２１】
この結果、
キートップ２の周縁に一端側が一体的に接続され、キーカバー１により、ベゼルＣに他端側が押圧シールされるリング状のパッキング部１１が構成されたので、キートップ２に支えられつつ他端側がベゼルＣに接するので、パッキング部１１のつぶし量の余裕が得られ易く、防水性を向上することが出来、また、つぶし量（密着性）の管理がし易く、防水性の向上が容易なプシュスイッチのキートップが得られる。
【００２２】
キートップ２とパッキング部１１が１部品に構成できたので、構造が簡単になり、部品管理も簡単になって、コストダウンが図れるプシュスイッチのキートップが得られる。
パッキング５を支えるための複雑な形状をしたキーケース４は不要となり、キーシート３に一面が接して取付けられ、キーシート３をバックアップする板状のバックパネル１１で良く、安価なプシュスイッチのキートップが得られる。
【００２３】
パッキング部１２の他端側に一体的に接続され、パッキング部１２と断面Ｔ型形状をなす円盤状の足部13が設けられたので、シール面積が増大されると共に、ベゼルＣ面に沿って密着でき防水性が更に向上されたプシュスイッチのキートップが得られる。
【００２４】
パッキング部１２と足部１３とは弾性材よりなるので、防水性に好適なプシュスイッチのキートップが得られる。
【００２５】
キートップ２とパッキング部１２と足部１３とは共にゴム成型により形成されたので、コストが低減できるプシュスイッチのキートップが得られる。
【００２６】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【図面の簡単な説明】
【００２７】
【図１】本発明の一実施例の全体構成説明図である。
【図２】図１の組立説明図である。
【図３】従来より一般に使用されている従来例の構成説明図である。
【図４】図３の要部構成説明図である。
【図５】図４の組立図である。
【図６】図４の動作説明図である。
【図７】図４の動作説明図である。
【図８】図４の動作説明図である。
【符号の説明】
【００２８】
１        キーカバー
２        キートップ
３        キーシート
４        キーケース
５        パッキング
１１      バックパネル
１２      パッキング部
１３      足部
３１      フレキシブルシート
Ａ        記録計
Ｂ        プシュスイッチのキートップ
Ｃ        ベゼル
【図１】
2005327582.tif 000003
【図２】
2005327582.tif 000004
【図３】
2005327582.tif 000005
【図４】
2005327582.tif 000006
【図５】
2005327582.tif 000007
【図６】
2005327582.tif 000008
【図７】
2005327582.tif 000009
【図８】
2005327582.tif 000010